(57)【要約】  【課題】各登録店舗（遊技場）の関係者の要求に沿った集計表データを配信できるような店舗データ集計システムを提供する。  【解決手段】各登録店舗の営業データ（遊技データ）の集計処理を行う集計コンピュータにおいて、各登録店舗の関係者が要求する集計表データの作成に関わる処理内容として、該集計表データに含まれる複数の遊技データを各登録店舗に対して設定することができ、該設定された各登録店舗の処理内容に応じて各登録店舗に対する集計表データの作成が実行され、該作成された集計表データが各登録店舗の関係者が閲覧できるように配信される。【選択図】        図７
2006039715.tif 000002
【特許請求の範囲】
【請求項１】
各登録店舗に設置され、該登録店舗の営業中において発生する各種営業データを収集する一又は複数の店舗内端末と、
該店舗内端末により収集された各種営業データを各登録店舗から収集すると共に、該収集した各種営業データを当該各登録店舗に対する営業データとして集計処理を行う集計コンピュータと、
からなる店舗データ集計システムであって、
前記店舗内端末は、
前記集計コンピュータに対するデータの送信時期が来るまでの間に発生した前記各種営業データを、営業データの種類毎に営業データ集計値として集計する営業データ集計手段と、
前記送信時期が来ると、該営業データ集計手段により集計した営業データ集計値と、各店舗内端末を個々に識別可能な情報として自身に設定された店舗内端末識別情報と、を含む営業データ集計情報を前記集計コンピュータに対して送信する営業データ集計情報送信手段と、
少なくとも該営業データ集計情報送信手段により営業データ集計情報を送信済であることを条件として、前記営業データ集計手段による営業データ集計値をリセットするリセット手段と、を備え、
前記集計コンピュータは、
各登録店舗を個々に識別可能な情報として各登録店舗に設定された登録店舗識別情報と、当該各登録店舗に設置されている店舗内端末の前記店舗内端末識別情報とを対応付けると共に、該店舗内端末識別情報と対応付けて、営業データの種類毎に各種営業データを格納するデータ格納領域が設定された登録店舗情報データベースと、
前記営業データ集計情報送信手段により送信された営業データ集計情報を受信する営業データ集計情報受信手段と、
該営業データ集計情報受信手段により受信した営業データ集計情報に基づいて、前記登録店舗情報データベースより店舗内端末識別情報を特定すると共に、該特定した店舗内端末識別情報に対応するデータ格納領域において営業データの種類毎に格納されている各種営業データの更新処理を行う登録店舗情報更新手段と、
前記登録店舗情報データベースに格納されている各登録店舗に対応した各種営業データに基づいて作成される集計表データの作成に関わる処理内容を各登録店舗に対して設定する集計表データ作成内容設定手段と、
該集計表データ作成内容設定手段により設定された各登録店舗の処理内容に応じて、当該各登録店舗に対する集計表データの作成を実行する集計表データ作成手段と、
該集計表データ作成手段により作成された各登録店舗の集計表データを、当該各登録店舗の関係者が自店舗の集計表データとして閲覧できるように配信する集計表データ配信手段と、
を備えることを特徴とする店舗データ集計システム。
【請求項２】
請求項１に記載した店舗データ集計システムであって、
前記登録店舗には、該登録店舗の営業中において稼働する営業機器が複数設置され、
前記店舗内端末は、前記各営業機器に対する各種営業データを収集し、
前記営業データ集計手段は、前記営業データ集計値を各営業機器毎に集計し、
前記営業データ集計情報送信手段は、該営業データ集計手段により各営業機器毎に集計した営業データ集計値を含む営業データ集計情報を送信する際に、該営業機器を個々に識別可能な情報として設定された営業機器識別情報をさらに含めて送信し、
前記登録店舗情報データベースは、前記営業機器識別情報とさらに対応付けて、前記各種営業データを格納する前記データ格納領域を設定し、
前記登録店舗情報更新手段は、前記営業データ集計情報受信手段により受信した営業データ集計情報に基づいて、前記登録店舗情報データベースより営業機器識別情報を特定すると共に、該特定した営業機器識別情報に対応するデータ格納領域において前記営業データの種類毎に格納されている各種営業データの更新処理を行い、
前記集計表データ作成内容設定手段による処理内容には、
前記登録店舗情報データベースに格納されている各登録店舗に対応した各種営業データの中から各営業機器に対して作成する集計表データに含まれる複数の営業データを設定するための営業機器別集計表データ設定手段と、
前記各営業機器をグループ別に振り分け設定するための営業機器グループ設定手段と、
前記登録店舗情報データベースに格納されている各登録店舗に対応した各種営業データの中から該営業機器グループ設定手段により設定された営業機器グループに対して作成される集計表データに含まれる複数の営業データを設定するための営業機器グループ別集計表データ設定手段と、を含み、
前記集計表データ作成手段は、前記各営業機器に対して、前記営業機器別集計表データ設定手段により設定された営業データを含む集計表データの作成を実行すると共に、前記営業機器グループ設定手段により設定された各営業機器グループに対して、前記営業機器グループ別集計表データ設定手段により設定された営業データを含む集計表データの作成を実行することを特徴とする店舗データ集計システム。
【請求項３】
請求項１又は２に記載した店舗データ集計システムであって、
前記集計表データ作成内容設定手段による処理内容には、
複数の登録店舗をグループ化する登録店舗グループ設定手段と、
該登録店舗グループ設定手段により設定された登録店舗グループに属する各登録店舗に対して作成される集計表データに含まれる複数の営業データを設定するための登録店舗グループ別集計表データ設定手段と、を含み、
前記集計表データ作成手段は、前記登録店舗グループ設定手段により設定された登録店舗グループに属する各登録店舗に対して、前記登録店舗グループ別集計表データ設定手段により設定された営業データを含む集計表データの作成を実行することを特徴とする店舗データ集計システム。
【請求項４】
請求項１〜３のいずれか１つに記載した店舗データ集計システムであって、
前記集計表データ配信手段は、予め定められた時間間隔及び／又は前記登録店舗の関係者からの閲覧要求に応じて、前記集計表データ作成手段により作成された各登録店舗の集計表データを配信することを特徴とする店舗データ集計システム。
【請求項５】
請求項１〜４のいずれか１つに記載した店舗データ集計システムであって、
前記集計表データ作成内容設定手段による処理内容には、前記登録店舗の１日の営業終了後に作成される日報用の集計表データに含まれる複数の営業データを設定すると共に、前記登録店舗の１月の営業終了後に作成される月報用の集計表データに含まれる複数の営業データを設定する日報・月報用集計表データ設定手段を含み、
前記集計表データ作成手段は、該日報・月報用集計表データ設定手段により設定された営業データを含む日報用の集計表データ及び月報用の集計表データの作成を実行することを特徴とする店舗データ集計システム。
【発明の詳細な説明】
【技術分野】
【０００１】
本発明は、登録店舗の営業中において発生する各種営業データの集計処理を集計コンピュータにて行い、該集計処理された各登録店舗に対する営業データを各登録店舗の関係者が閲覧できるように配信する店舗データ集計システムに関する。
【背景技術】
【０００２】
従来より、特許文献１に示すように、各遊技場に設置されている遊技台に対応して該遊技台の遊技データを収集する台コンピュータが設けられ、台コンピュータは、ルータを介してインターネットを通じて管理センタに設置されている管理コンピュータと接続され、管理コンピュータは、前記台コンピュータが収集した遊技台データを収集して各遊技場に対する遊技台データとして集計処理を行い、該集計処理された遊技台データを管理コンピュータにアクセスした通信端末で閲覧できるようにした遊技台データ管理システムが知られている。これによれば、遊技台データの集計処理を行うホールコンピュータを各遊技場に設置する必要がないので、大幅なコスト削減が可能になる。
【０００３】
【特許文献１】特開２００４−８９６１９号公報（第５〜７頁，図１，図２）
【発明の開示】
【発明が解決しようとする課題】
【０００４】
上記特許文献１に示すように、自店舗のデータ集計を管理センタに委託することで、自店舗におけるホールコンピュータの導入費用の削減やメンテナンスの手間の削減を達成するシステムを導入する店舗があるが、該システムでは、各店舗に配信される集計表データ（集計帳票）が統一されており、該統一的な集計表データは、必ずしも各店舗の関係者の要求に沿った集計表データではないため、店舗によっては、今まで見慣れた当該店舗独自の集計表データから統一的な集計表データに変わることによって閲覧しづらくなるという問題があった。
【０００５】
本発明は、このような背景のもとになされたものであり、その目的は、登録店舗の営業中において発生する各種営業データの集計処理を集計コンピュータにて行う店舗データ集計システムにおいて、各登録店舗の関係者の要求に沿った集計表データを配信できるような店舗データ集計システムを提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、各登録店舗（遊技場）に設置され、該登録店舗の営業中において発生する各種営業データ（遊技データ）を収集する一又は複数の店舗内端末（台端末１０）と、該店舗内端末により収集された各種営業データを各登録店舗から収集すると共に、該収集した各種営業データを当該各登録店舗に対する営業データとして集計処理を行う集計コンピュータ（４０）と、からなる店舗データ集計システム（１）であって、前記店舗内端末は、前記集計コンピュータに対するデータの送信時期が来るまでの間に発生した前記各種営業データを、営業データの種類毎に営業データ集計値として集計する営業データ集計手段と、前記送信時期が来ると、該営業データ集計手段により集計した営業データ集計値と、各店舗内端末を個々に識別可能な情報として自身に設定された店舗内端末識別情報（台端末番号）と、を含む営業データ集計情報を前記集計コンピュータに対して送信する営業データ集計情報送信手段と、少なくとも該営業データ集計情報送信手段により営業データ集計情報を送信済であることを条件として、前記営業データ集計手段による営業データ集計値をリセットするリセット手段と、を備え、前記集計コンピュータは、各登録店舗を個々に識別可能な情報として各登録店舗に設定された登録店舗識別情報（遊技場ＩＤ）と、当該各登録店舗に設置されている店舗内端末の前記店舗内端末識別情報とを対応付けると共に、該店舗内端末識別情報と対応付けて、営業データの種類毎に各種営業データを格納するデータ格納領域が設定された登録店舗情報データベース（ハードディスク４５）と、前記営業データ集計情報送信手段により送信された営業データ集計情報を受信する営業データ集計情報受信手段（通信部４１）と、該営業データ集計情報受信手段により受信した営業データ集計情報に基づいて、前記登録店舗情報データベースより店舗内端末識別情報を特定すると共に、該特定した店舗内端末識別情報に対応するデータ格納領域において営業データの種類毎に格納されている各種営業データの更新処理を行う登録店舗情報更新手段（制御部４２）と、前記登録店舗情報データベースに格納されている各登録店舗に対応した各種営業データに基づいて作成される集計表データの作成に関わる処理内容を各登録店舗に対して設定する集計表データ作成内容設定手段（ディスプレイ４３及び入力装置４４）と、該集計表データ作成内容設定手段により設定された各登録店舗の処理内容に応じて、当該各登録店舗に対する集計表データの作成を実行する集計表データ作成手段（制御部４２）と、該集計表データ作成手段により作成された各登録店舗の集計表データを、当該各登録店舗の関係者が自店舗の集計表データとして閲覧できるように配信する集計表データ配信手段（通信部４１）と、を備えることを特徴とする店舗データ集計システムである。
【０００８】
また請求項２に係る発明は、請求項１に記載した店舗データ集計システム（１）であって、前記登録店舗（遊技場）には、該登録店舗の営業中において稼働する営業機器（パチンコ機Ｐ，玉貸ユニットＵ）が複数設置され、前記店舗内端末（台端末１０）は、前記各営業機器に対する各種営業データ（遊技データ）を収集し、前記営業データ集計手段は、前記営業データ集計値を各営業機器毎に集計し、前記営業データ集計情報送信手段は、該営業データ集計手段により各営業機器毎に集計した営業データ集計値を含む営業データ集計情報を送信する際に、該営業機器を個々に識別可能な情報として設定された営業機器識別情報（台端末番号及び接続端子名）をさらに含めて送信し、前記登録店舗情報データベース（ハードディスク４５）は、前記営業機器識別情報（台番号）とさらに対応付けて、前記各種営業データを格納する前記データ格納領域を設定し、前記登録店舗情報更新手段（制御部４２）は、前記営業データ集計情報受信手段（通信部４１）により受信した営業データ集計情報に基づいて、前記登録店舗情報データベースより営業機器識別情報を特定すると共に、該特定した営業機器識別情報に対応するデータ格納領域において前記営業データの種類毎に格納されている各種営業データの更新処理を行い、前記集計表データ作成内容設定手段（ディスプレイ４３及び入力装置４４）による処理内容には、前記登録店舗情報データベースに格納されている各登録店舗に対応した各種営業データの中から各営業機器に対して作成する集計表データに含まれる複数の営業データを設定するための営業機器別集計表データ設定手段と、前記各営業機器をグループ別に振り分け設定するための営業機器グループ設定手段と、前記登録店舗情報データベースに格納されている各登録店舗に対応した各種営業データの中から該営業機器グループ設定手段により設定された営業機器グループに対して作成される集計表データに含まれる複数の営業データを設定するための営業機器グループ別集計表データ設定手段と、を含み、前記集計表データ作成手段（制御部４２）は、前記各営業機器に対して、前記営業機器別集計表データ設定手段により設定された営業データを含む集計表データの作成を実行すると共に、前記営業機器グループ設定手段により設定された各営業機器グループに対して、前記営業機器グループ別集計表データ設定手段により設定された営業データを含む集計表データの作成を実行することを特徴とする店舗データ集計システムである。
【０００９】
また請求項３に係る発明は、請求項１又は２に記載した店舗データ集計システム（１）であって、前記集計表データ作成内容設定手段（ディスプレイ４３及び入力装置４４）による処理内容には、複数の登録店舗をグループ化する登録店舗グループ設定手段と、該登録店舗グループ設定手段により設定された登録店舗グループに属する各登録店舗に対して作成される集計表データに含まれる複数の営業データを設定するための登録店舗グループ別集計表データ設定手段と、を含み、前記集計表データ作成手段（制御部４２）は、前記登録店舗グループ設定手段により設定された登録店舗グループに属する各登録店舗に対して、前記登録店舗グループ別集計表データ設定手段により設定された営業データを含む集計表データの作成を実行することを特徴とする店舗データ集計システムである。
【００１０】
また請求項４に係る発明は、請求項１〜３のいずれか１つに記載した店舗データ集計システム（１）であって、前記集計表データ配信手段（通信部４１）は、予め定められた時間間隔及び／又は前記登録店舗の関係者からの閲覧要求に応じて、前記集計表データ作成手段（制御部４２）により作成された各登録店舗の集計表データを配信することを特徴とする店舗データ集計システムである。
【００１１】
さらに請求項５に係る発明は、請求項１〜４のいずれか１つに記載した店舗データ集計システム（１）であって、前記集計表データ作成内容設定手段（ディスプレイ４３及び入力装置４４）による処理内容には、前記登録店舗の１日の営業終了後に作成される日報用の集計表データに含まれる複数の営業データを設定すると共に、前記登録店舗の１月の営業終了後に作成される月報用の集計表データに含まれる複数の営業データを設定する日報・月報用集計表データ設定手段を含み、前記集計表データ作成手段（制御部４２）は、該日報・月報用集計表データ設定手段により設定された営業データを含む日報用の集計表データ及び月報用の集計表データの作成を実行することを特徴とする店舗データ集計システムである。
【発明の効果】
【００１２】
まず請求項１に係る店舗データ集計システムによれば、各登録店舗の営業データの集計処理を行う集計コンピュータにおいて、集計表データ作成内容設定手段により、各登録店舗の関係者が要求する集計表データの作成に関わる処理内容を設定することができ、集計表データ作成手段により、該設定された処理内容に応じて各登録店舗に対する集計表データの作成が実行され、集計表データ配信手段により、該作成された集計表データを各登録店舗の関係者が閲覧できるように配信するように構成したので、各登録店舗の関係者の要求に沿った集計表データを配信できる。
【００１３】
また請求項２に係る店舗データ集計システムによれば、集計コンピュータにおいて、営業機器グループ設定手段により、各登録店舗の関係者が営業データをグループ化して確認したい営業機器を設定することができると共に、営業機器別集計表データ設定手段，営業機器グループ別集計表データ設定手段により、集計表データにおいて該関係者が確認したい営業データを営業機器別，営業機器グループ別に設定することができるので、営業機器別，営業機器グループ別に該関係者の要求に沿った集計表データを作成して配信できる。
【００１４】
また請求項３に係る店舗データ集計システムによれば、集計コンピュータにおいて、登録店舗グループ設定手段により、営業データをグループ化して確認したい登録店舗（例えばチェーン店）を設定することができると共に、登録店舗グループ別集計表データ設定手段により、集計表データにおいて該チェーン店の本部が確認したい営業データを登録店舗グループ別に設定することができるので、登録店舗グループ別に該本部の要求に沿った集計表データを作成して配信できる。
【００１５】
また請求項４に係る店舗データ集計システムによれば、集計コンピュータにおいて、集計表データ配信手段により、予め定められた時間間隔及び／又は登録店舗の関係者からの閲覧要求に応じて、各登録店舗の集計表データが配信されるので、各登録店舗の関係者は、当該登録店舗の営業中においても集計表データを入手して、現在の自店舗の状況を確認できる。
【００１６】
さらに請求項５に係る店舗データ集計システムによれば、集計コンピュータにおいて、日報・月報用集計表データ設定手段により、日報用の集計表データにおいて各登録店舗の関係者が確認したい営業データを設定できると共に、月報用の集計表データにおいて各登録店舗の関係者が確認したい営業データを設定できるので、日報及び月報のそれぞれについて各登録店舗の関係者の要求に沿った集計表データを作成して配信できる。
【発明を実施するための最良の形態】
【００１７】
以下、本発明の実施の形態を、図面を参照して説明する。本発明に係る店舗データ集計システム１は、図１に示すように、登録店舗（例えば遊技場）の営業中において発生する各種営業データ（例えば遊技データ）の集計処理を集計コンピュータ４０にて行い、該集計処理された各登録店舗に対する営業データである集計表データを各登録店舗の関係者が閲覧できるように配信するものであり、特に各登録店舗の関係者の要求に沿った集計表データを配信できることを特徴とするものである。
【００１８】
まず、図１〜図１４を参照して、店舗データ集計システム１の構成について説明する。なお、以下においては、該店舗データ集計システム１に登録した店舗である登録店舗が複数の遊技場Ａ〜Ｚであり、該遊技場の営業中において稼働する営業機器がパチンコ機Ｐ及び玉貸ユニットＵであり、該遊技場の営業中において発生する営業データが遊技データである例について説明する。また各遊技場Ａ〜Ｚ内の構成は略同様であるため、以下においては、遊技場Ａ内の構成についてのみ図示及び説明し、遊技場Ｂ〜Ｚ内の構成については図示及び説明を省略する。
【００１９】
店舗データ集計システム１は、図１に示すように、各遊技場Ａ〜Ｚに設置され、該遊技場の営業中において発生する各種遊技データを収集する一又は複数の店舗内端末として機能する台端末１０と、該店舗内端末により収集された各種遊技データを各遊技場から収集すると共に、該収集した各種遊技データを当該各遊技場に対する遊技データとして集計処理を行う集計コンピュータ４０と、からなる。
【００２０】
各遊技場Ａ〜Ｚ内には、図示しない遊技島において、パチンコ機Ｐ及び玉貸ユニットＵが、該パチンコ機Ｐの機種等に従って所定の位置に配置されている。ここで遊技島は、島番号（１番島，２番島…）によって個々に識別可能とされている。また遊技場の営業中において稼働する営業機器であるパチンコ機Ｐ及び玉貸ユニットＵは、各営業機器を個々に識別可能な情報として設定された営業機器識別情報である台番号（0001番台，0002番台…）によって個々に識別可能とされている。この図１に示す例では、遊技島２の一面において左端から右端に向けて0001番台〜0010番台（ただし0004番台と0009番台は欠番）のパチンコ機Ｐが設けられ、該0001番台〜0010番台と並行して遊技島２の背面において左端から右端に向けて0011番台〜0020番台（ただし0014番台と0019番台は欠番）のパチンコ機Ｐが設けられている。これらパチンコ機Ｐ及び玉貸ユニットＵは、前記台端末１０と接続されている。
【００２１】
ここで台端末１０は、各店舗内端末を個々に識別可能な情報として設定された店舗内端末識別情報である台端末番号によって個々に識別可能とされている。この図１に示す例では、台番号が0001番〜0005番である４台のパチンコ機Ｐに対応して、台端末番号がD101番である台端末１０が設けられており、以下同様にして、0006番〜0010番のパチンコ機Ｐに対応するD102番の台端末１０と、0011番〜0015番のパチンコ機Ｐに対応するD103番の台端末１０と、0016番〜0020番のパチンコ機Ｐに対応するD104番の台端末１０とが設けられている。この台端末１０は、４台のパチンコ機Ｐの各々に接続可能な４つの接続端子Ａ，Ｂ，Ｃ，Ｄを備えており、例えばD101番の台端末１０では、接続端子Ａに0001番のパチンコ機Ｐが接続され、接続端子Ｂの0002番のパチンコ機Ｐが接続され、接続端子Ｃに0003番のパチンコ機Ｐが接続され、接続端子Ｄに0005番のパチンコ機Ｐが接続されている。この台端末１０は、遊技場内に設置された中継コンピュータ２０と接続されており、該中継コンピュータ２０は、遊技場内に設置された場内コンピュータ３０と接続されている。
【００２２】
これらパチンコ機Ｐの台番号と、台端末１０の台端末番号及び接続端子名との対応関係は、後述する図６に示すように、集計コンピュータ４０のディスプレイ４３及び入力装置４４において設定され、後述する図３（ａ）に示すように、該集計コンピュータ４０のハードディスク４５で記憶されている。従って集計コンピュータ４０は、後述する営業データ集計値と、台端末番号と、前記営業機器識別情報である台端末番号及び接続端子名と、を含む後述する営業データ集計情報が送信されてきたときに、該送信されてきた台端末番号及び接続端子名と対応付けて記憶している台番号を特定できるので、該送信されてきた営業データ集計値がいずれのパチンコ機Ｐ及び玉貸ユニットＵに係るものであるかを把握できる。
【００２３】
ここで前記集計コンピュータ４０は、例えば後述するプリペイドカードの発行及び管理を行うカード会社に設置されており、光ファイバー，ＣＡＴＶ，又はｘＤＳＬ（例えばＡＤＳＬ）等の有線通信技術や、ＦＷＡ，又はＩＭＴ−２０００等の無線通信技術を用いて実現される、いわゆるブロードバンド回線によって、場内コンピュータ３０と通信可能されている。また集計コンピュータ４０は、ウェブサーバ５０，及びチェーン店本部６０と通信可能とされており、該ウェブサーバ５０は、インターネット２を介して、登録店舗の関係者である遊技場関係者が操作可能なパソコン３ａや携帯端末３ｂと通信可能とされている。これらパソコン３ａや携帯端末３ｂは、各種の情報を表示可能な表示装置であるディスプレイや各種の情報を入力可能な入力装置であるキーボード等を備えており、インターネット接続機能を有する周知のものである。
【００２４】
パチンコ機Ｐは前記営業機器の一例であって、遊技媒体であるパチンコ玉を遊技領域に打ち込むことにより遊技を行う遊技機であり、ここでは対応する玉貸ユニットＵと通信可能であり、パチンコ玉を貸与する玉貸処理が、玉貸ユニットＵとの間でパチンコ玉の貸与に関する信号のやり取りによって行われる、いわゆるＣＲ式のパチンコ機である。このパチンコ機Ｐにおける遊技領域には、一般入賞口（チャッカ入賞口），始動入賞口（スタート入賞口），大入賞口（アタッカ）等の複数の入賞口や、複数種類の識別情報である図柄を可変表示可能な可変表示装置等が設けられている。このパチンコ機Ｐからは、遊技データとして、以下に説明する各種の信号が出力される。
【００２５】
まず遊技領域に打ち込まれて遊技に使用されたパチンコ玉（以下「打込玉」という。）が始動入賞口に入賞した場合には、可変表示装置の可変表示が開始されて所定時間の経過後に該可変表示が停止すると共に、該可変表示の停止を特定可能な情報として、１パルスのスタート信号が出力される。
【００２６】
また可変表示装置の表示結果が予め定められた所定態様となった場合には、遊技者にとって有利な遊技状態（いわゆる特賞＝大当り）が発生して、閉成されていた大入賞口が開成されて前記打込玉が大入賞口に入賞可能になると共に、該特賞の発生を特定可能な情報として、該特賞の発生から終了までの間において継続的な特賞信号が出力される。
【００２７】
また可変表示装置の表示結果が予め定められた特別の所定態様となった場合には、前記特賞の発生確率が通常確率から高確率に変動する確率変動状態（以下単に「確変」という。）が発生して、該確変の発生を特定可能な情報として、該確変の発生から終了までの間において継続的な確変信号が出力される。
【００２８】
また遊技領域に打ち込まれた打込玉が各入賞口に入賞した場合には、各入賞口に応じた所定数のパチンコ玉が賞球として払い出されると共に、該賞球数を特定可能な情報として、１０個の賞球が払い出される毎に１パルスのセーフ信号が出力される。
【００２９】
また各入賞口に入賞した打込玉及びいずれの入賞口にも入賞しなかった打込玉は、パチンコ機Ｐの背後における遊技島に設けられたアウトタンクに導かれ、該アウトタンクに付設された打込玉カウンタにて打込玉数が計数されると共に、該打込玉数を特定可能な情報として、１０個のパチンコ玉が計数される毎に１パルスのアウト信号が出力される。
【００３０】
さらにパチンコ機Ｐからは、一般入賞口への入賞を示すチャッカ入賞信号や、始動入賞口への入賞を示すスタート入賞信号や、大入賞口への入賞を示す大入賞口信号や、ゲートの通過を示すゲート信号や、前面扉の開放を示すドアオープン信号等も出力される。
【００３１】
なお遊技機は、パチンコ機Ｐには限られず、遊技媒体であるメダルを賭数として使用することにより遊技を行うスロットマシンであっても良く、この場合には、レバーの操作に基づいて前記スタート信号及び前記アウト信号（メダル１枚＝１パルス）が出力され、メダルの払出に基づいて前記セーフ信号（メダル１枚＝１パルス）が出力され、ＢＩＧボーナスの発生に基づいて該ＢＩＧボーナスの発生を示す前記特賞信号が出力され、ＲＥＧボーナスの発生に基づいて該ＲＥＧボーナスの発生を示すＲＥＧボーナス信号が出力される。
【００３２】
玉貸ユニットＵも前記営業機器の一例であって、パチンコ機Ｐに対応して設けられ、遊技媒体であるパチンコ玉を貸与する玉貸処理を行う貸与処理機であり、ここでは対応するＣＲ式のパチンコ機Ｐと通信可能であり、遊技に使用可能な遊技用価値の大きさ（例えばカード度数）が記録されている遊技用記録媒体（例えばプリペイドカード）を受け付け、該受け付けた遊技用記録媒体の記録情報を読み取り、該読み取った記録情報から特定される遊技用価値の大きさの範囲内における所定の大きさの遊技用価値に相当するパチンコ玉をパチンコ機Ｐから払い出して貸与する玉貸処理が、パチンコ機Ｐとの間でパチンコ玉の貸与に関する信号のやり取りによって行われる、いわゆるＣＲ式の玉貸ユニット（ＣＲサンド）である。この玉貸ユニットＵからは、遊技データとして、パチンコ玉の貸与が行われたことに基づいて、該貸与に使用された遊技用価値の大きさである貸与金額を特定可能な情報として、貸与金額１００円毎に１パルスのＣＲサンド信号が出力される。
【００３３】
なお玉貸ユニットＵは、ＣＲ式の玉貸ユニットには限られず、現金式のパチンコ機に対応して設けられ、貨幣を受け付け、該受け付けた貨幣の金額に相当するパチンコ玉を内部から払い出して貸与する玉貸処理が行われる、いわゆる現金式の玉貸ユニット（現金サンド）であっても良く、この場合には、パチンコ玉の貸与が行われたことに基づいて該貸与に使用された貨幣の金額を示すサンド現金合計信号が出力される。また玉貸ユニットＵにおいて、いわゆる貯玉再プレイが可能である場合には、該貯玉再プレイが行われたことに基づいて該貯玉再プレイに使用されたパチンコ玉を示す再プレイ信号が出力される。またＣＲ式の玉貸ユニットＵにおいて、貨幣を受け付けてのパチンコ玉の貸与が可能である場合には、該貸与に使用された貨幣の金額を示すＱＣ売上信号が出力される。なお貸与処理機は、玉貸ユニットＵには限られず、スロットマシンに対応して設けられ、遊技媒体であるメダルを貸与するメダル貸処理を行うメダル貸ユニットであっても良い。
【００３４】
さらにパチンコ機Ｐに対応して設けられる呼出ランプ装置（図示外）からは、遊技データとして、呼出ボタンの操作を示す呼出信号が出力される。またパチンコ機Ｐに対応して、遊技者に対して付与されたパチンコ玉を計数する各台計数機が設けられている場合には、遊技データとして、該計数されたパチンコ玉数を示す各台計数機信号が出力される。
【００３５】
台端末１０は前記店舗内端末の一例であって、遊技島に設けられ、パチンコ機Ｐや玉貸ユニットＵ等から出力される各種遊技データを収集するものであり、ＣＰＵ，ＲＡＭ，ＲＯＭ，及び通信手段等を備えるコンピュータである。
【００３６】
この台端末１０は営業データ集計手段の一例であって、集計コンピュータ４０に対するデータの送信時期が来るまでの間に発生した各種営業データ（遊技データ）を、営業データの種類毎に営業データ集計値として集計するものであり、ここでは該営業データ集計値を各営業機器（パチンコ機Ｐ及び玉貸ユニットＵ）毎に集計する。
【００３７】
具体的には、図２に示すように、当該台端末１０（ここでは台端末番号がD101である台端末１０）に接続される各パチンコ機Ｐ及び玉貸ユニットＵ（ここでは台番号が0001，0002，0003，及び0005である各パチンコ機Ｐ及び玉貸ユニットＵ）に対する各種遊技データが、遊技データの種類毎に営業データ集計値として集計される。ここで送信時期は、例えば遊技場の営業開始から５分間隔であり、集計コンピュータ４０において設定され、場内コンピュータ３０及び中継コンピュータ２０を介して各台端末１０に対して配信されて記憶される。
【００３８】
この営業データ集計手段では、前記打込玉カウンタ及びパチンコ機Ｐから出力されて台端末１０に入力されるアウト信号，セーフ信号，スタート信号，特賞信号，及び確変信号に基づいて、図２に示すように、前記送信時期である５分間隔における営業データ集計値として、アウト，セーフ，スタート，及び状態が、１０秒毎に集計される。
【００３９】
具体的には、前記５分間のうちの各１０秒毎におけるアウト信号の受信数にアウト信号比（ここでは打込玉１０個で１パルスのアウト信号が出力されるので、アウト信号比は１０）を乗じた打込玉数が「アウト」として集計され、前記５分間のうちの各１０秒毎におけるセーフ信号の受信数にセーフ信号比（ここでは賞球１０個で１パルスのセーフ信号が出力されるので、セーフ信号比は１０）を乗じた賞球数が「セーフ」として集計され、前記５分間のうちの各１０秒毎におけるスタート信号の受信数がカウントされたスタート回数が「スタート」として集計される。また前記５分間における特賞信号の受信に基づいて、「状態」が特賞状態であると集計され、前記５分間における確変信号の受信に基づいて、「状態」が確変状態であると集計される。
【００４０】
なお営業データ集計手段では、前記玉貸ユニットＵから出力されて台端末１０に入力されるＣＲサンド信号に基づいて、図示しないが、前記送信時期である５分間隔における営業データ集計値として、ＣＲ売上が集計される。具体的には、前記５分間におけるＣＲサンド信号の受信数にサンド信号比（ここでは貸与金額１００円で１パルスのＣＲサンド信号が出力されるので、サンド信号比は１００）を乗じたＣＲ売上金額が「ＣＲ売上」として集計される。
【００４１】
また営業データ集計手段では、前記パチンコ機Ｐから出力されて台端末１０に入力されるチャッカ入賞信号，スタート入賞信号，ゲート信号，ドアオープン信号，呼出信号等（以下「チャッカ入賞等」と称する。）についても、図示しないが、前記送信時期である５分間隔における営業データ集計値として集計される。
【００４２】
また台端末１０は営業データ集計情報送信手段の一例であって、前記送信時期が来ると、前記営業データ集計手段により集計した営業データ集計値と、各店舗内端末（台端末１０）を個々に識別可能な情報として自身に設定された店舗内端末識別情報である台端末番号と、を含む営業データ集計情報を集計コンピュータ４０に対して送信するものであり、ここでは前記営業データ集計手段により各営業機器（パチンコ機Ｐ及び玉貸ユニットＵ）毎に集計した営業データ集計値を含む営業データ集計情報を送信する際に、該営業機器を個々に識別可能な情報として設定された営業機器識別情報である台端末番号及び接続端子名をさらに含めて送信する。
【００４３】
具体的には、前記送信時期である５分間隔で、各パチンコ機Ｐ毎に集計された図２の表に示す営業データ集計値と、当該各パチンコ機Ｐに対応する接続端子名と、当該台端末１０の台端末番号（ここではD101）と、を含む営業データ集計情報（即ち図２に示すデータ全体）が、中継コンピュータ２０及び場内コンピュータ３０を介して集計コンピュータ４０に対して送信される。なお前述の如く各パチンコ機Ｐ毎に集計された図示しない営業データ集計値（ＣＲ売上，及びチャッカ入賞等）と、接続端子名と、台端末番号と、を含む営業データ集計情報も、中継コンピュータ２０及び場内コンピュータ３０を介して集計コンピュータ４０に対して送信される。
【００４４】
さらに台端末１０はリセット手段の一例であって、少なくとも前記営業データ集計情報送信手段により営業データ集計情報を送信済であることを条件として、前記営業データ集計手段による営業データ集計値をリセットするものである。具体的には、前記営業データ集計情報を集計コンピュータ４０に対して送信したときに、図２の表に示す営業データ集計値及び図示しない営業データ集計値（ＣＲ売上等）がリセットされる。なお図２に示す例では、10:35:10から、前記営業データ集計手段による遊技データの集計が再開される。
【００４５】
中継コンピュータ２０は、遊技場内の所定箇所（例えば管理事務所等）に設けられ、台端末１０から出力される営業データ集計情報を場内コンピュータ３０に対して出力するものである。この中継コンピュータ２０は、各遊技島に対応して設けられ、当該遊技島に設けられている複数の台端末１０と接続されている。
【００４６】
場内コンピュータ３０は、遊技場内の所定箇所（例えば管理事務所等）に設けられ、中継コンピュータ２０から出力される営業データ集計情報を集計コンピュータ４０に対して出力するものである。この場内コンピュータ３０は、図１に示すように接続される場内通信部３１ａ，場外通信部３１ｂ，制御部３２，ディスプレイ３３，入力装置３４，及びハードディスク３５等を備えている。
【００４７】
場内通信部３１ａは、中継コンピュータ２０と通信可能に接続され、場内コンピュータ３０と中継コンピュータ２０との間における通信を司るものである。この場内通信部３１ａでは、前述の如く、中継コンピュータ２０から送信されてくる営業データ集計情報が受信される。場外通信部３１ｂは、集計コンピュータ４０の後述する通信部４１と通信可能に接続され、場内コンピュータ３０と集計コンピュータ４０との間における通信を司るものである。この場外通信部３１ｂからは、前述の如く、営業データ集計情報が集計コンピュータ４０に対して送信される。また場外通信部３１ｂでは、後述するように、予め定められた時間間隔（例えば２時間毎）又は遊技場関係者からの閲覧要求に応じて集計コンピュータ４０から送信されてくる集計表データ（図１２及び図１３を参照）が受信される。
【００４８】
制御部３２は、ＣＰＵ，ＲＡＭ，ＲＯＭ等を備え、ハードディスク３５に記憶されている処理プログラムがＲＡＭを作業領域としてＣＰＵで実行されることにより、場内コンピュータ３０に備えられる各構成要素の動作を制御して各種の処理を行うものである。ディスプレイ３３は各種の情報を表示するためのものであり、例えば液晶表示器である。このディスプレイ３３には、予め定められた時間間隔（例えば２時間毎）又は遊技場関係者からの閲覧要求に応じて集計コンピュータ４０から送信されてくる集計表データ（図１２及び図１３を参照）が表示される。入力装置３４は各種の入力を受け付けるためのものであり、例えばキーボード及びマウスである。記憶装置であるハードディスク３５には、中継コンピュータ２０から送信されてくる営業データ集計情報が所定期間（例えば１年間）記憶され、後述する登録店舗情報データベース（ハードディスク４５）に格納されている遊技データとの照合が可能である。
【００４９】
集計コンピュータ４０は、前記店舗内端末として機能する台端末１０，中継コンピュータ２０，及び場内コンピュータ３０により収集された各種遊技データを各遊技場から収集すると共に、該収集した各種遊技データを当該各遊技場に対する遊技データとして集計処理を行うものである。この集計コンピュータ４０は、図１に示すように接続される通信部４１，制御部４２，ディスプレイ４３，入力装置４４，及びハードディスク４５等を備えている。
【００５０】
ここでハードディスク４５は登録店舗情報データベースの一例であって、各登録店舗（遊技場）を個々に識別可能な情報として各登録店舗に設定された登録店舗識別情報である遊技場ＩＤと、当該各登録店舗に設置されている店舗内端末（台端末１０）の店舗内端末識別情報である台端末番号とを対応付けると共に、該台端末番号と対応付けて、営業データ（遊技データ）の種類毎に、各種営業データを格納するデータ格納領域が設定されたものであり、ここでは、前記営業機器識別情報である台番号とさらに対応付けて、各種営業データを格納するデータ格納領域を設定する。
【００５１】
このハードディスク４５には、図示しないが、各遊技場に設置された台端末１０から送信されてきた営業データ集計情報（図２を参照）に含まれる営業データ集計値を、当該遊技場の遊技場ＩＤ，該送信されてきた営業データ集計情報に含まれる台端末番号，及び該送信されてきた営業データ集計情報に含まれる台端末番号と接続端子名とから特定される台番号と対応付けて、遊技データの種類毎に格納するデータ格納領域が設定されている。
【００５２】
またハードディスク４５では、図３（ａ）に示すように、遊技場ＩＤ，台端末番号，接続端子名，及び台番号と対応付けて、遊技場の営業中における遊技データを格納するデータ格納領域が設定されている。このデータ格納領域では、特賞の発生時刻，実特賞回数，及び確変フラグの記憶欄と対応付けて、実特賞中アウト，実特賞外アウト，実特賞中セーフ，実特賞外アウト，スタート，及びＣＲ売上の記憶欄が設けられており、各記憶欄に記憶されている値の合計（即ち各台合計）も記憶されるようになっている。なお図示しないが、このデータ格納領域では、上記以外の遊技データ（チャッカ入賞等）も記憶される。
【００５３】
さらにハードディスク４５では、図３（ｂ）に示すように、遊技場ＩＤ，台端末番号，及び台番号と対応付けて、遊技場の営業終了後における遊技データを格納するデータ格納領域が設定されている。このデータ格納領域では、実特賞中アウト，実特賞外アウト，実特賞中セーフ，実特賞外アウト，スタート，及びＣＲ売上の記憶欄が設けられており、各記憶欄に記憶されている値の合計（即ち全台合計）も記憶されるようになっている。なお図示しないが、このデータ格納領域では、上記以外の遊技データ（チャッカ入賞等）も記憶される。
【００５４】
通信部４１は、前述の如く、場内コンピュータ３０の場外通信部３１ｂと通信可能に接続されていると共に、ウェブサーバ５０，及びチェーン店本部６０とも通信可能に接続されている。この通信部４１は営業データ集計情報受信手段の一例であって、前記営業データ集計情報送信手段（台端末１０）により送信された営業データ集計情報を受信するものである。また通信部４１は、集計表データ配信手段として機能するものであるが、その詳細については後述する。
【００５５】
制御部４２は、ＣＰＵ，ＲＡＭ，ＲＯＭ等を備え、ハードディスク４５に記憶されている処理プログラムがＲＡＭを作業領域としてＣＰＵで実行されることにより、集計コンピュータ４０に備えられる各構成要素の動作を制御して各種の処理を行うものである。この制御部４２は登録店舗情報更新手段の一例であって、前記営業データ集計情報受信手段により受信した営業データ集計情報に基づいて、前記登録店舗情報データベースより店舗内端末識別情報（台端末番号）を特定すると共に、該特定した店舗内端末識別情報に対応するデータ格納領域において営業データ（遊技データ）の種類毎に格納されている各種営業データの更新処理を行うものであり、ここでは前記営業データ集計情報受信手段により受信した営業データ集計情報に基づいて、前記登録店舗情報データベースより営業機器識別情報（台番号）を特定すると共に、該特定した営業機器識別情報に対応するデータ格納領域において営業データ（遊技データ）の種類毎に格納されている各種営業データの更新処理を行う。
【００５６】
まず遊技場の営業中に、図２に示す営業データ集計値，台端末番号，及び接続端子名を含む営業データ集計情報を受信したときには、図３（ａ）に示す登録店舗情報データベースにおいて、該受信した台端末番号及び接続端子名に基づいて台番号を特定し、該台番号に対応するデータ格納領域において遊技データの種類毎に格納されている各種遊技データの更新処理を行う。
【００５７】
具体的には、図２に示す営業データ集計値において記録されている「状態」に基づいて該更新処理を行う。即ち「状態」として特賞と記録されていないアウト，セーフ，及びスタートの各値は、データ格納領域のある行（ここでは１行目）において、それぞれ実特賞外アウト，実特賞外セーフ，及びスタートの記憶欄に加算更新される。また「状態」として特賞と最初に記録されている時刻（ここでは10:31:00→秒は切り捨てて10:31）は、データ格納領域の当該行において、発生時刻の記憶欄に記憶され、このとき実特賞回数の記憶欄には、通算の実特賞回数（ここでは１）が記憶される。また「状態」として特賞と記録されているアウト，及びセーフの各値は、データ格納領域の当該行において、それぞれ実特賞中アウト，及び実特賞中セーフの記憶欄に加算更新される。
【００５８】
ここで「状態」として当該特賞と記録されている次に確変と記録されている場合には、データ格納領域の当該行において、確変フラグの記憶欄に○印が記憶され、次の行（ここでは２行目）において、実特賞外アウト，実特賞外セーフ，及びスタートの記憶が開始される。一方、「状態」として当該特賞と記録されている次に確変と記録されていない場合（即ち何も記録されていない場合）には、データ格納領域の当該行において、確変フラグの記憶欄に○印は記憶されず、次の行（ここでは２行目）において、実特賞外アウト，実特賞外セーフ，及びスタートの記憶が開始される。この図３（ａ）に示す登録店舗情報データベースにおける各台合計は、逐次更新される。
【００５９】
なお遊技場の営業中に、チャッカ入賞等の営業データ集計値，台端末番号，及び接続端子名を含む営業データ集計情報を受信したときにも、図示しないが、図３（ａ）に示す登録店舗情報データベースにおいて、該受信した台端末番号及び接続端子名に基づいて台番号を特定し、該台番号に対応するデータ格納領域において遊技データの種類毎に格納されている各種遊技データの更新処理を行う。
【００６０】
次に遊技場の営業終了後には、図３（ｂ）に示す登録店舗情報データベースにおいて、前記図３（ａ）に示す登録店舗情報データベースにおける各台合計に基づいて、各台の台番号に対応するデータ格納領域において遊技データの種類毎に各種遊技データを格納する。
【００６１】
また制御部４２は、登録店舗情報データベースに格納されている遊技データ（図２及び図３を参照）に基づいて、図４及び図５に示すように、各計算式に従って遊技データの集計処理を実行する。さらに制御部４２は、集計表データ作成手段として機能するものであるが、その詳細については後述する。
【００６２】
ディスプレイ４３は各種の情報を表示するためのものであり、例えば液晶表示器である。入力装置４４は各種の入力を受け付けるためのものであり、例えばキーボード及びマウスである。これらディスプレイ４３及び入力装置４４は集計表データ作成内容設定手段の一例であって、前記登録店舗情報データベース（ハードディスク４５）に格納されている各登録店舗（遊技場）に対応した各営業データ（遊技データ）に基づいて作成される集計表データの作成に関わる処理内容を各登録店舗に対して設定するものであり、該処理内容には、営業機器グループ設定手段（図６を参照），営業機器別集計表データ設定手段（図７を参照），営業機器グループ別集計表データ設定手段（図８を参照），登録店舗グループ設定手段（図９を参照），及び登録店舗グループ別集計表データ設定手段（図１０を参照）を含むものである。
【００６３】
またディスプレイ４３及び入力装置４４は日報・月報用集計表データ設定手段の一例であって、登録店舗（遊技場）の１日の営業終了後に作成される日報用の集計表データに含まれる複数の営業データ（遊技データ）を設定すると共に、登録店舗の１月の営業終了後に作成される月報用の集計表データに含まれる複数の営業データを設定するものである。
【００６４】
具体的には、後述する図７に示す台別集計表データ設定画面，及び図８に示す島別集計表データ設定画面において、各遊技データと対応付けて、日報用の集計表データに含まれる遊技データを設定するするための「日報」チェックボックスと、月報用の集計表データに含まれる遊技データを設定するための「月報」チェックボックスがディスプレイ４３により表示され、各遊技データに対応する「日報」チェックボックス及び「月報」チェックボックスの一方又は双方がチェックされて「設定」ボタンが操作されることにより、日報用の集計表データ及び月報用の集計表データに含まれる遊技データが設定される。
【００６５】
以下、図６〜図１０に示す各画面を参照して、集計表データ作成内容設定手段及び日報・月報用集計表データ設定手段として機能するディスプレイ４３及び入力装置４４について説明する。なお各画面において、「次へ」ボタンが操作されると、一画面において設定しきれない項目を設定可能となり、「メニュー」ボタンが操作されると、図示しないメニュー画面に戻る。
【００６６】
まず図６に示すように、ディスプレイ４３及び入力装置４４は営業機器グループ設定手段の一例であって、各営業機器をグループ別に振り分け設定するためのものであり、ここでは該営業機器であるパチンコ機Ｐを、該パチンコ機Ｐが設置されている遊技島別に振り分け設定する。
【００６７】
具体的には、集計コンピュータ４０において、カード会社の係員の操作により遊技機設定モードが実行されると、図６に示す遊技機設定画面がディスプレイ４３に表示される。この画面では、遊技場ＩＤを選択するためのコンボボックスが表示されると共に、該選択された遊技場ＩＤの遊技場に設置されている各パチンコ機Ｐについて、台番号，台端末番号，接続端子名，島番号，タイプ，及び機種名を設定するための入力欄が表示される。
【００６８】
ここでカード会社の係員が入力装置４４を操作することにより、遊技場ＩＤを選択し、各入力欄に必要事項を入力して、「設定」ボタンを操作すると、該選択された遊技場ＩＤの遊技場に設置されている各パチンコ機Ｐについて、該入力された内容で台番号，台端末番号，接続端子名，島番号，タイプ，及び機種名が設定されることにより、各パチンコ機Ｐが遊技島別に振り分け設定される。
【００６９】
この図６に示す例では、遊技場Ａについて、0001番台〜0010番台の８台のパチンコ機Ｐ（0004番台と0009番台は欠番）が１番島の遊技島に振り分けられ、0011番台〜0015番台の４台のパチンコ機Ｐ（0014番台は欠番）が２番島に振り分けられている。この図６における設定は、図示しないが、ハードディスク４５に記憶される。また図６における設定のうち、台端末番号，接続端子名，及び台番号の対応関係は、前述の如く、図３（ａ）に示す登録店舗情報データベースに記憶される。
【００７０】
次に図７に示すように、ディスプレイ４３及び入力装置４４は営業機器別集計表データ設定手段の一例であって、前記登録店舗情報データベース（図３を参照）に格納されている各登録店舗（遊技場）に対応した各種営業データ（遊技データ）の中から各営業機器に対して作成する集計表データに含まれる複数の営業データを設定するためのものであり、ここでは該営業機器である各パチンコ機Ｐに対して作成する集計表データに含まれる複数の遊技データを、該集計表データに表示する表示順序を示すNo.と対応付けて、図４及び図５に示す遊技データ（即ち図３に示す登録店舗情報データベースに格納されている遊技データに基づいて集計される遊技データ）の中から選択して設定する。またディスプレイ４３及び入力装置４４は、前述の如く、日報・月報用集計表データ設定手段として機能するものである。
【００７１】
具体的には、集計コンピュータ４０において、カード会社の係員の操作により台別集計表データ設定モードが実行されると、図７に示す台別集計表データ設定画面がディスプレイ４３に表示される。この画面では、遊技場ＩＤを選択するためのコンボボックス，及びパチンコ機Ｐのタイプ又は機種を選択するためのコンボボックスが表示されると共に、該選択された遊技場に設置されているタイプ又は機種に属する各パチンコ機Ｐについて、各パチンコ機Ｐに対して作成される集計表データに含まれる複数の遊技データを前記図４及び図５に示す遊技データの中から選択して設定すると共に該遊技データの表示順序を設定するための複数（ここでは８つ）のコンボボックスと、各遊技データに対する「日報」チェックボックス及び「月報」チェックボックスが表示される。
【００７２】
ここでカード会社の係員が入力装置４４を操作することにより、遊技場ＩＤを選択し、パチンコ機Ｐのタイプ又は機種を選択すると共に、前記表示順序を示す各No.に対応する各コンボボックスに表示される前記図４及び図５に示す遊技データの中から必要項目を選択し、該選択された遊技データに対して「日報」チェックボックス及び「月報」チェックボックスの一方又は双方をチェックして、「設定」ボタンを操作すると、該選択された遊技場に設置されている該選択されたタイプ又は機種の各パチンコ機Ｐについて、該選択された内容で、集計表データに含まれる複数の遊技データ，及び該複数の遊技データの表示順序が設定されると共に、各遊技データが日報用の集計表データに含まれるか月報用の集計表データに含まれるかが設定される。
【００７３】
この図７に示す例では、遊技場Ａに設置されているタイプが第１種であるパチンコ機Ｐについて、第１に実特賞回数（図４のNo.６），第２に確変回数（同No.２９），第３に特賞確率（同No.１１），第４に差玉（同No.３），第５に出玉率（同No.４），第６にベース（同No.８），第７にスタート％（同No.１０），及び第８に台売上（図５のNo.７２）の各遊技データが設定されている。そして日報用の集計表データに含まれる遊技データとしては、第１〜第８の各遊技データが設定されているので、各遊技データがこの表示順序で集計表データに表示される。また月報用の集計表データに含まれる遊技データとしては、第４，第６，第７，及び第８の各遊技データが設定されているので、各遊技データがこの表示順序で集計表データに表示される。
【００７４】
この図７における設定は、図１１（ａ）に示すように、ハードディスク４５に記憶される。具体的には、各遊技場に設置されている各タイプ又は各機種のパチンコ機Ｐ毎に、当該パチンコ機Ｐに対して作成される集計表データに含まれる複数の遊技データ，及び各遊技データが日報用の集計表データに含まれるか月報用の集計表データに含まれるかが記憶される。
【００７５】
次に図８に示すように、ディスプレイ４３及び入力装置４４は営業機器グループ別集計表データ設定手段の一例であって、前記登録店舗情報データベース（図３を参照）に格納されている各登録店舗（遊技場）に対応した各種営業データ（遊技データ）の中から前記営業機器グループ設定手段により設定された営業機器グループに対して作成する集計表データに含まれる複数の営業データを設定するためのものであり、ここでは該営業機器グループである遊技島に対して作成する集計表データに含まれる複数の遊技データを、該集計表データに表示する表示順序を示すNo.と対応付けて、図４及び図５に示す遊技データ（即ち図３に示す登録店舗情報データベースに格納されている遊技データに基づいて集計される遊技データ）の中から選択して設定する。またディスプレイ４３及び入力装置４４は、前述の如く、日報・月報用集計表データ設定手段として機能するものである。
【００７６】
具体的には、集計コンピュータ４０において、カード会社の係員の操作により島別集計表データ設定モードが実行されると、図８に示す島別集計表データ設定画面がディスプレイ４３に表示される。この画面では、遊技場ＩＤを選択するためのコンボボックス，及び遊技島の島番号を選択するためのコンボボックスが表示されると共に、該選択された遊技場の遊技島について、該遊技島に対して作成される集計表データに含まれる複数の遊技データを前記図４及び図５に示す遊技データの中から選択して設定すると共に該遊技データの表示順序を設定するための複数（ここでは８つ）のコンボボックスと、各遊技データに対する「日報」チェックボックス及び「月報」チェックボックスが表示される。
【００７７】
ここでカード会社の係員が入力装置４４を操作することにより、遊技場ＩＤを選択し、遊技島の島番号を選択すると共に、前記表示順序を示す各No.に対応する各コンボボックスに表示される前記図４及び図５に示す遊技データの中から必要項目を選択し、該選択された遊技データに対して「日報」チェックボックス及び「月報」チェックボックスの一方又は双方をチェックして、「設定」ボタンを操作すると、該選択された遊技場の遊技島について、該選択された内容で、集計表データに含まれる複数の遊技データ，及び該複数の遊技データの表示順序が設定されると共に、各遊技データが日報用の集計表データに含まれるか月報用の集計表データに含まれるかが設定される。
【００７８】
この図８に示す例では、遊技場Ａに設置されている島番号が１番島〜８番島である遊技島について、第１にアウト（図４のNo.２），第２にセーフ（同No.１），第３に差玉（同No.３），第４にベース（同No.８），第５にスタート％（同No.１０），第６に台売上（図５のNo.７２），第７に台割数（同No.７３），及び第８に利益率（同No.７９）の各遊技データが設定されている。そして日報用の集計表データに含まれる遊技データとしては、第１〜第８の各遊技データが設定されているので、各遊技データがこの表示順序で集計表データに表示される。また月報用の集計表データに含まれる遊技データとしては、第３〜第８の各遊技データが設定されているので、各遊技データがこの表示順序で集計表データに表示される。
【００７９】
この図８における設定は、図１１（ｂ）に示すように、ハードディスク４５に記憶される。具体的には、各遊技場に設置されている各遊技島毎に、当該遊技島に対して作成される集計表データに含まれる複数の遊技データ，及び各遊技データが日報用の集計表データに含まれるか月報用の集計表データに含まれるかが記憶される。
【００８０】
次に図９に示すように、ディスプレイ４３及び入力装置４４は登録店舗グループ設定手段の一例であって、複数の登録店舗をグループ化するものであり、ここではチェーン店に属する各遊技場をグループ化して遊技場グループを設定する。またディスプレイ４３及び入力装置４４は、前記登録店舗グループ設定手段により設定された登録店舗グループについての集計表データの配信先を設定するものであり、ここでは前記遊技場グループを統轄するチェーン店本部６０を、該遊技場グループについての集計表データの配信先として設定する。
【００８１】
具体的には、集計コンピュータ４０において、カード会社の係員の操作により遊技場グループ設定モードが実行されると、図９に示す遊技場グループ設定画面がディスプレイ４３に表示される。この画面では、遊技場グループの名称を設定するための入力欄，及び該遊技場グループについての集計表データの配信先を設定するための入力欄が表示されると共に、該遊技場グループに属する遊技場（即ち該遊技場グループのチェーン店）を選択して設定するためのコンボボックスが表示される。
【００８２】
ここでカード会社の係員が入力装置４４を操作することにより、遊技場グループの名称を入力し、該遊技場グループについての集計表データの配信先を入力すると共に、各コンボボックスに表示される遊技場の中から該遊技場グループに属する遊技場を選択して、「設定」ボタンを操作すると、該選択された遊技場がグループ化されて、前記入力された名称の遊技場グループが設定されると共に、前記入力された配信先が該遊技場グループについての集計表データの配信先として設定される。
【００８３】
この図９に示す例では、チェーン店に属する遊技場Ａ，Ｂ，Ｍ，Ｐがグループ化されてＸチェーンという名称の遊技場グループが設定されていると共に、該遊技場グループを統轄するチェーン店本部６０が前記配信先として設定されている。この図９における設定は、図示しないが、ハードディスク４５に記憶される。
【００８４】
そして図１０に示すように、ディスプレイ４３及び入力装置４４は登録店舗グループ別集計表データ設定手段の一例であって、前記登録店舗グループ設定手段により設定された登録店舗グループに属する各登録店舗に対して作成される集計表データに含まれる複数の営業データを設定するためのものであり、ここでは前記遊技場グループに属する各遊技場に対して作成する集計表データに含まれる複数の遊技データを、該集計表データに表示する表示順序を示すNo.と対応付けて、図４及び図５に示す遊技データ（即ち図３に示す登録店舗情報データベースに格納されている遊技データに基づいて集計される遊技データ）の中から選択して設定する。即ち該集計表データに含まれる複数の遊技データを、各遊技場毎に個別に設定するのではなく統一的に設定し、かつ遊技データの表示順序も統一的に設定する。
【００８５】
具体的には、集計コンピュータ４０において、カード会社の係員の操作により遊技場グループ別集計表データ設定モードが実行されると、図１０に示す遊技場グループ別集計表データ設定画面がディスプレイ４３に表示される。この画面では、遊技場グループを選択するためのコンボボックスが表示されると共に、該選択された遊技場グループについて、該遊技場グループに属する各遊技場に対して作成される集計表データに含まれる複数の遊技データを前記図４及び図５に示す遊技データの中から選択して設定すると共に該遊技データの表示順序を統一的に設定するための複数（ここでは８つ）のコンボボックスが表示される。
【００８６】
ここでカード会社の係員が入力装置４４を操作することにより、遊技場グループを選択すると共に、前記表示順序を示す各No.に対応する各コンボボックスに表示される前記図４及び図５に示す遊技データの中から必要項目を選択して、「設定」ボタンを操作すると、該選択された遊技場グループについて、該選択された内容で複数の遊技データ，及び該複数の遊技データの表示順序が統一的に設定される。
【００８７】
この図１０に示す例では、Ｘチェーンという名称の遊技場グループについて、第１にＣＲ売上（図５のNo.７１），第２に現金売上（同No.７０），第３に台売上（同No.７２），第４に台割数（同No.７３），第５に台粗利益（同No.７７），第６に利益率（同No.７９），第７に差玉（図４のNo.３），及び第８に出玉率（同No.４）の各遊技データが統一的に設定されていると共に、各遊技データがこの第１〜第８の表示順序で集計表データに統一的に表示されるように設定されている。この図１０における設定は、図示しないが、ハードディスク４５に記憶される。
【００８８】
ここで前記制御部４２は集計表データ作成手段の一例であって、前記図６〜図１０に示す集計表データ作成内容設定手段により設定された各登録店舗の処理内容に応じて、当該各登録店舗に対する集計表データの作成を実行するものである。
【００８９】
まず、ある遊技場（例えば遊技場Ａ）に対する日報用の台別集計表データの作成を実行する場合には、ハードディスク４５で図１１（ａ）に示すようにして記憶されている当該遊技場の台別集計表データ設定に基づいて以下のような処理を行い、図１２（ａ）に示す日報用の台別集計表データを作成する。まず当該遊技場の台別集計表データ設定に基づいて、ハードディスク４５で記憶されている当該遊技場の遊技データの中から、集計表データの作成対象となるタイプ又は機種に属するパチンコ機Ｐ（ここでは第１種のパチンコ機Ｐ）について、日報用の集計表データの作成に必要な遊技データを抽出する。次に当該遊技場の台別集計表データ設定と該抽出された遊技データとに基づいて、前記作成対象となるタイプ又は機種に属するパチンコ機Ｐについて設定されている複数の遊技データ（ここでは実特賞回数，確変回数，特賞確率，差玉，出玉率，ベース，スタート％，及び台売上）を前記図４及び図５に示す計算式に従って各パチンコ機Ｐ毎に算出すると共に、各遊技データの合計及び／又は平均を算出する。そして当該遊技場の台別集計表データ設定に基づいて、該算出された各パチンコ機Ｐ毎の各遊技データ，及び該算出された合計及び／又は平均の各遊技データを、前記設定されている表示順序で表示して、図１２（ａ）に示す日報用の台別集計表データを作成する。なお図示しないが、遊技場Ａ以外の各遊技場に対する日報用の台別集計表データの作成も、同様にして実行される。
【００９０】
また、ある遊技場（例えば遊技場Ａ）に対する月報用の台別集計表データの作成を実行する場合には、前記図１２（ａ）の説明において、日報用の集計表データの作成に必要な遊技データに代えて、月報用の集計表データの作成に必要な遊技データを抽出し、以下同様の処理を行って、図１３（ａ）に示す月報用の台別集計表データを作成する。この月報用の台別集計表データには、遊技データとして、差玉，ベース，スタート％，及び台売上が含まれる。なお図示しないが、遊技場Ａ以外の各遊技場に対する月報用の台別集計表データの集計処理も、同様にして実行される。
【００９１】
即ち、ここでの集計表データ作成手段として機能する制御部４２は、前記各営業機器（パチンコ機Ｐ）に対して、前記図７に示す営業機器別集計表データ設定手段により設定された営業データ（遊技データ）を含む集計表データの作成を実行するものであり、また同図７に示す日報・月報用集計表データ設定手段により設定された営業データを含む日報用の集計表データ及び月報用の集計表データの作成を実行するものである。
【００９２】
また、ある遊技場（例えば遊技場Ａ）に対する日報用の島別集計表データの作成を実行する場合には、ハードディスク４５で記憶されている当該遊技場の遊技機設定（図６を参照），及び図１１（ｂ）に示すようにして記憶されている当該遊技場の島別集計表データ設定に基づいて以下のような処理を行い、図１２（ｂ）に示す日報用の島別集計表データを作成する。まず当該遊技場の遊技機設定及び島別集計表データ設定に基づいて、ハードディスク４５で記憶されている当該遊技場の遊技データの中から、集計対象となる遊技島に設置されているパチンコ機Ｐ（ここでは島番号が１番島〜８番島である遊技島に設置されているパチンコ機Ｐ）について、日報用の集計表データの作成に必要な遊技データを抽出する。次に当該遊技場の島別集計表データ設定と該抽出された遊技データとに基づいて、前記集計対象となる遊技島について設定されている複数の遊技データ（ここではアウト，セーフ，差玉，ベース，スタート％，台売上，台割数，及び利益率）を前記図４及び図５に示す計算式に従って各パチンコ機Ｐ毎に算出し、該算出された各遊技データを各遊技島毎に集計すると共に、各遊技データの合計及び／又は平均を算出する。そして当該遊技場の島別集計表データ設定に基づいて、該集計された各遊技島毎の各遊技データ，及び該算出された合計及び／又は平均の各遊技データを、前記設定されている表示順序で表示して、図１２（ｂ）に示す日報用の島別集計表データを作成する。なお図示しないが、遊技場Ａ以外の各遊技場に対する日報用の島別集計表データの作成も、同様にして実行される。
【００９３】
また、ある遊技場（例えば遊技場Ａ）に対する月報用の島別集計表データの作成を実行する場合には、前記図１２（ｂ）の説明において、日報用の集計表データの作成に必要な遊技データに代えて、月報用の集計表データの作成に必要な遊技データを抽出し、以下同様の処理を行って、図１３（ｂ）に示す月報用の島別集計表データを作成する。この月報用の島別集計表データには、遊技データとして、差玉，ベース，スタート％，台売上，台割数，及び利益率が含まれる。なお図示しないが、遊技場Ａ以外の各遊技場に対する月報用の島別集計表データの集計処理も、同様にして実行される。
【００９４】
即ち、ここでの集計表データ作成手段として機能する制御部４２は、前記図６に示す営業機器グループ設定手段により設定された各営業機器グループ（遊技島）に対して、前記図８に示す営業機器グループ別集計表データ設定手段により設定された営業データ（遊技データ）を含む集計表データの作成を実行するものであり、また同図８に示す日報・月報用集計表データ設定手段により設定された営業データを含む日報用の集計表データ及び月報用の集計表データの作成を実行するものである。
【００９５】
さらに、ある遊技場グループ（例えばＸチェーン）に対する遊技場グループ別集計表データの作成を実行する場合には、ハードディスク４５で記憶されている当該遊技場グループの遊技場グループ設定（図９を参照）及び当該遊技場グループの遊技場グループ別集計表データ設定（図１０を参照）に基づいて以下のような処理を行い、図１４に示す遊技場グループ別集計表データを作成する。まず当該遊技場グループの遊技場グループ設定及び遊技場グループ別集計表データ設定に基づいて、ハードディスク４５で記憶されている当該遊技場グループに属する各遊技場の遊技データを抽出する。次に当該遊技場グループの遊技場グループ別集計表データ設定と該抽出された遊技データとに基づいて、当該遊技場グループについて設定されている複数の遊技データ（ここではＣＲ売上，現金売上，台売上，台割数，台粗利益，利益率，差玉，及び出玉率）を前記図４及び図５に示す計算式に従って各パチンコ機Ｐ毎に算出し、該算出された各遊技データを各遊技場毎に集計すると共に、各遊技データの合計及び／又は平均を算出する。そして当該遊技場グループの遊技場グループ別集計表データ設定に基づいて、該集計された各遊技場毎の各遊技データ，及び該算出された合計及び／又は平均の各遊技データを、前記設定されている表示順序で統一的に表示して、図１４に示す遊技場グループ別集計表データを作成する。なお図示しないが、Ｘチェーン以外の各遊技場グループに対する遊技場グループ別集計表データの作成も、同様にして実行される。
【００９６】
即ち、ここでの集計表データ作成手段として機能する制御部４２は、前記図９に示す登録店舗グループ設定手段により設定された登録店舗グループ（遊技場グループ）に属する各登録店舗（遊技場）に対して、前記図１０に示す登録店舗グループ別集計表データ設定手段により設定された営業データ（遊技データ）を含む集計表データの作成を実行するものである。
【００９７】
また前記通信部４１は集計表データ配信手段の一例であって、前記集計表データ作成手段により作成された各登録店舗の集計表データ（図１２及び図１３を参照）を、当該各登録店舗の関係者が閲覧できるように配信するものであり、ここでは登録店舗である各遊技場の集計表データを、当該遊技場に設置されている場内コンピュータ３０，及び／又は当該遊技場関係者が操作可能なパソコン３ａや携帯端末３ｂに対して配信する。また集計表データ配信手段として機能する通信部４１は、予め定められた時間間隔（例えば２時間毎）及び／又は登録店舗の関係者である遊技場関係者からの閲覧要求に応じて、前記集計表データ作成手段により作成された各登録店舗の集計表データ配信するものである。
【００９８】
なお集計表データ配信手段として機能する通信部４１は、前記集計表データ作成手段により作成された前記登録店舗グループである遊技場グループについての集計表データ（図１４を参照）を、図９に示すようにして設定された当該遊技場グループのチェーン店本部６０に対して配信する。
【００９９】
次に、図１２〜図１４を参照して、店舗データ集計システム１の作用について説明する。まず台端末１０においては、前述の如く、パチンコ機Ｐ及び玉貸ユニットＵ等から遊技データが収集され、該収集された遊技データが図２に示すように営業データ集計値として集計され、予め定められた送信時期（例えば遊技場の営業開始から５分間隔）が来ると、該集計された営業データ集計値と台端末番号と接続端子名とを含む営業データ集計情報が、中継コンピュータ２０及び場内コンピュータ３０を介して集計コンピュータ４０に対して送信される。集計コンピュータ４０においては、該送信されてきた営業データ集計情報に基づいて、図３に示すようにして遊技データの更新処理が行われる。
【０１００】
この集計コンピュータ４０においては、予め定められた時間間隔（例えば２時間毎）になったとき，遊技場関係者からの要求（即ち遊技場に設置されている場内コンピュータ３０，又は遊技場関係者が操作可能なパソコン３ａや携帯端末３ｂからの要求）があったとき，及び遊技場の営業終了後に、前述の如く、図１１に示すようにして記憶されている各遊技場の集計表データ設定（台別集計表データ設定，島別集計表データ設定）に基づいて、図１２（ａ）に示す日報用の台別集計表データ，及び図１２（ｂ）に示す日報用の島別集計表データが作成され、該作成された日報用の集計表データが、当該遊技場に設置されている場内コンピュータ３０，及び／又は当該遊技場関係者が操作可能なパソコン３ａや携帯端末３ｂに対して配信される。場内コンピュータ３０，パソコン３ａ，及び携帯端末３ｂにおいては、該配信されてきた日報用の集計表データが各ディスプレイに表示される。
【０１０１】
このように、集計コンピュータ４０において、集計表データ配信手段（通信部４１）により、予め定められた時間間隔及び／又は遊技場関係者からの閲覧要求に応じて、各遊技場の集計表データが配信されるので、各遊技場関係者は、当該遊技場の営業中においても集計表データを入手して、現在の自店舗の状況を確認できる。なお時間間隔は、場内コンピュータ３０において任意に設定変更可能である。また遊技場の営業終了後にも、各遊技場の集計表データが配信されるので、１日を通算した集計表データを入手して、当日の自店舗の状況を確認できる。
【０１０２】
また集計コンピュータ４０においては、ある月（ここでは７月）の末日になると、前述の如く、図１１に示すようにして記憶されている各遊技場の集計表データ設定（台別集計表データ設定，島別集計表データ設定）に基づいて、図１３（ａ）に示す月報用の台別集計表データ，及び図１３（ｂ）に示す月報用の島別集計表データが作成され、該作成された月報用の集計表データが、当該遊技場に設置されている場内コンピュータ３０，及び／又は当該遊技場関係者が操作可能なパソコン３ａや携帯端末３ｂに対して配信される。場内コンピュータ３０，パソコン３ａ，及び携帯端末３ｂにおいては、該配信されてきた月報用の集計表データが各ディスプレイに表示される。
【０１０３】
このように、各遊技場の遊技データの集計処理を行う集計コンピュータ４０において、集計表データ作成内容設定手段（ディスプレイ４３及び入力装置４４）により、各遊技場関係者が要求する集計表データの作成に関わる処理内容を設定することができ、集計表データ作成手段（制御部４２）により、該設定された処理内容に応じて各遊技場に対する集計表データの作成が実行され、集計表データ配信手段（通信部４１）により、該作成された集計表データを各遊技場関係者が閲覧できるように配信するように構成したので、各遊技場関係者の要求に沿った集計表データを配信できる。
【０１０４】
また営業機器グループ設定手段（ディスプレイ４３及び入力装置４４）により、各遊技場関係者が遊技場データをグループ化して確認したいパチンコ機Ｐを設定することができると共に、営業機器別集計表データ設定手段，営業機器グループ別集計表データ設定手段（ディスプレイ４３及び入力装置４４）により、集計表データにおいて遊技場関係者が確認したい遊技データを台別，島別に設定することができるので、台別，島別に遊技場関係者の要求に沿った集計表データを作成して配信できる。
【０１０５】
また日報・月報用集計表データ設定手段（ディスプレイ４３及び入力装置４４）により、日報用の集計表データにおいて各遊技場関係者が確認したい遊技データを設定できると共に、月報用の集計表データにおいて各遊技場関係者が確認したい遊技データを設定できるので、日報及び月報のそれぞれについて各遊技場関係者の要求に沿った集計表データを作成して配信できる。
【０１０６】
さらに集計コンピュータ４０においては、前述の如く、ハードディスク４５で記憶されている各遊技場グループの遊技場グループ別集計表データ設定（図１０を参照）に基づいて、図１４に示す遊技場グループ別集計表データが作成され、該作成された遊技場グループ別集計表データが当該遊技場グループのチェーン店本部６０に対して配信される。チェーン店本部６０においては、該配信されてきた遊技場グループ別集計表データがディスプレイに表示される。
【０１０７】
このように、集計コンピュータ４０において、登録店舗グループ設定手段（ディスプレイ４３及び入力装置４４）により、遊技データをグループ化して確認したい遊技場（例えばチェーン店）を設定することができると共に、登録店舗グループ別集計表データ設定手段により、集計表データにおいて該チェーン店の本部が確認したい遊技データを遊技場グループ別に設定することができるので、遊技場グループ別に該本部の要求に沿った集計表データを作成して配信できる。
【０１０８】
最後に、本発明の変形例について説明する。
【０１０９】
上記の実施形態では、登録店舗が遊技場である例について説明したが、これに限らず、該登録店舗は、例えばカジノや、ゲームセンターや、自動販売機及びコインランドリー等の無人販売店や、インターネットカフェや、病院や、美容院等であっても良い。
【０１１０】
ここで登録店舗がカジノである場合には、前記営業機器は、例えばスロットマシン等のカジノマシンであり、前記営業データは、例えば該カジノマシンにおける配当，稼働率，売上等に関するデータである。また登録店舗がゲームセンターである場合には、例えば格闘ゲーム等のゲームマシンであり、前記営業データは、例えば該ゲームマシンにおける最高得点，最高クリアステージ，稼働率，売上等に関するデータである。また登録店舗が無人販売店やインターネットカフェである場合には、前記営業機器は、該登録店舗に設置される端末（即ち自動販売機，コイン式洗濯機，パソコン等）であり、前記営業データは、例えば該端末における稼働率，売上等に関するデータである。また登録店舗が病院や美容院である場合には、前記営業機器は、該登録店舗に設置される施術機器（即ち医療機器，美容機器等）であり、前記営業データは、例えば該施術機器における稼働率に関するデータである。
【０１１１】
上記の実施形態では、遊技場の営業中において稼働する営業機器がパチンコ機Ｐである例について説明したが、これに限らず、該営業機器は、例えばプリペイドカードを販売するカード販売機や、遊技者に付与されたパチンコ玉を計数する計数機等であっても良い。ここで営業機器がカード販売機である場合には、前記営業データは、例えば受け付けた貨幣の金種，販売したプリペイドカードの金種，販売金額等に関するデータである。また営業機器が計数機である場合には、前記営業データは、パチンコ玉の計数値に関するデータである。
【０１１２】
上記の実施形態では、図１に示すように、集計コンピュータ４０とウェブサーバ５０及びチェーン店本部６０とが直接的に接続されている例について説明したが、これに限らず、該集計コンピュータ４０とウェブサーバ５０及びチェーン店本部６０とはインターネット２を介して接続されるものであっても良い。また集計コンピュータ４０が設置されるのは、カード会社でなくても良い。さらにウェブサーバ５０は、各遊技場内に設けられるものでも良い。
【０１１３】
上記の実施形態では、店舗内端末が台端末１０である例について説明したが、これに限らず、該店舗内端末は、例えば中継コンピュータ２０や場内コンピュータ３０であっても良い。また店舗内端末がそれぞれ個別のＩＰアドレスを有し、集計コンピュータ４０がインターネット２を介して該店舗内端末に直接アクセスして遊技データを収集するように構成しても良い。
【０１１４】
上記の実施形態では、リセット手段（台端末１０）において、営業データ集計情報を送信済であることを条件として、図２に示す営業データ集計値がリセットされる例について説明したが、これに限らず、営業データ集計情報を集計コンピュータ４０に対して送信した後、該集計コンピュータ４０から営業データ集計情報を受信した旨の応答があったことを条件として、営業データ集計値がリセットされるようにしても良い。即ち、営業データ集計値は、少なくとも営業データ集計情報送信手段により営業データ集計情報を送信済であることを条件としてリセットされれば良い。
【０１１５】
上記の実施形態では、図６に示すように、営業機器グループとして遊技島が設定される例について説明したが、これに限らず、該営業機器グループとして、パチンコ機Ｐのタイプや機種も設定されるようにしても良い。また図６に示すように、集計コンピュータ４０のディスプレイ４３及び入力装置４４により営業機器グループの設定が行われるものには限られず、場内コンピュータ３０において営業機器グループの設定が行われ、該設定が集計コンピュータ４０に対して送信されて、集計コンピュータ４０において設定されるようにしても良い。
【０１１６】
上記の実施形態では、集計表データ作成手段（制御部４２）により作成された各遊技場の集計表データ（図１２及び図１３を参照）が、集計表データ配信手段である通信部４１によって当該遊技場に設置されている場内コンピュータ３０に対して配信されることにより、「当該遊技場の関係者が閲覧できるように配信」される例について説明したが、これに限らず、「当該遊技場の関係者が閲覧できるように配信」とは、例えば各遊技場の集計表データをウェブサーバ５０に配信し、該ウェブサーバ５０にアクセスした遊技場の関係者が閲覧できるようにするものであっても良く、また各遊技場の集計表データを遊技場の関係者宛に電子メールで送信するものであっても良い。また上記の実施形態では、集計表データが、場内コンピュータ３０，及びパソコン３ａや携帯端末３ｂの双方に配信される例について説明したが、いずれか一方のみに配信されるものでも良い。
【０１１７】
上記の実施形態では、集計表データ作成手段（制御部４２）により作成された遊技場グループ別集計表データ（図１４を参照）が、集計表データ配信手段である通信部４１によってチェーン店本部６０に対して配信される例について説明したが、これに限らず、例えば該遊技場グループ別集計表データをウェブサーバ５０に配信し、該ウェブサーバ５０にアクセスしたチェーン店本部６０の関係者が閲覧できるようにするものであっても良く、また遊技場グループ別集計表データをチェーン店本部６０の関係者宛に電子メールで送信するものであっても良い。
【０１１８】
上記の実施形態では、図１２〜図１４に示すように、集計表データが帳票形式である例について説明したが、これに限らず、該集計表データはグラフ形式であっても良い。
【０１１９】
上記の実施形態では、図１２，及び図１４に示すように、集計表データが本日のデータである例について説明したが、これに限らず、該集計表データは、過去のデータであっても良い。
【０１２０】
上記の実施形態では、登録店舗の関係者（遊技場関係者）が集計表データを閲覧可能である例について説明したが、これに限らず、遊技者も集計表データを閲覧可能であるように構成しても良く、この場合には、集計表データを遊技場に配信し、該遊技場内に設けられ遊技者が操作可能な端末（前記玉貸ユニットＵやキオスク端末等）で集計表データが表示されるようにしても良く、また集計表データをウェブサーバ５０に配信し、該ウェブサーバ５０にアクセスした遊技者が集計表データを閲覧できるようにしても良く、また集計表データを遊技者が操作可能なパソコンや携帯端末に送信するようにしても良い。また、この場合には、集計表データに含まれる各営業データ（遊技データ）に対して、公開を許容するか否かを設定し、公開を許容すると設定された営業データのみを閲覧できるようにしても良い。さらに、この場合には、アクセス権を有するアクセス者（例えば当該遊技場について会員登録を行った遊技者である会員遊技者）のみに公開を許容する営業データと、アクセス権の有無に拘わらず公開を許容する営業データと、を設定するようにしても良い。
【図面の簡単な説明】
【０１２１】
【図１】図１は本発明に係る店舗データ集計システムの一例を表す機能ブロック図である。
【図２】図２は台端末において集計される遊技データの一例を表す図である。
【図３】図３は集計コンピュータのデータ格納領域に格納される遊技データの一例を表す図であり、（ａ）は遊技場の営業中における遊技データ，（ｂ）は遊技場の営業終了後における遊技データである。
【図４】図４は集計コンピュータにおいて集計処理される営業データの一例を表す図である。
【図５】図５は図４に続く図である。
【図６】図６は集計コンピュータのディスプレイに表示される遊技機設定画面の一例を表す図である。
【図７】図７は集計コンピュータのディスプレイに表示される台別集計表データ設定画面の一例を表す図である。
【図８】図８は集計コンピュータのディスプレイに表示される島別集計表データ設定画面の一例を表す図である。
【図９】図９は集計コンピュータのディスプレイに表示される遊技場グループ設定画面の一例を表す図である。
【図１０】図１０は集計コンピュータのディスプレイに表示される遊技場グループ別集計表データ設定画面の一例を表す図である。
【図１１】図１１は集計コンピュータのハードディスクに記憶される遊技場別集計表データ設定一覧の一例を表す図であり、（ａ）は台別集計表データ，（ｂ）は島別集計表データである。
【図１２】図１２は遊技場関係者に配信される日報用の集計表データの一例を表す図であり、（ａ）は台別集計表データ，（ｂ）は島別集計表データである。
【図１３】図１３は遊技場関係者に配信される月報用の集計表データの一例を表す図であり、（ａ）は台別集計表データ，（ｂ）は島別集計表データである。
【図１４】図１４はチェーン店本部に配信される遊技場グループ別集計表データの一例を表す図である。
【符号の説明】
【０１２２】
１…店舗データ集計システム
１０…台端末
４０…集計コンピュータ
４１…通信部
４２…制御部
４３…ディスプレイ
４４…入力装置
４５…ハードディスク
Ｐ…パチンコ機
Ｕ…玉貸ユニット
【図１】
2006039715.tif 000003
【図２】
2006039715.tif 000004
【図３】
2006039715.tif 000005
【図４】
2006039715.tif 000006
【図５】
2006039715.tif 000007
【図６】
2006039715.tif 000008
【図７】
2006039715.tif 000009
【図８】
2006039715.tif 000010
【図９】
2006039715.tif 000011
【図１０】
2006039715.tif 000012
【図１１】
2006039715.tif 000013
【図１２】
2006039715.tif 000014
【図１３】
2006039715.tif 000015
【図１４】
2006039715.tif 000016